(57)【要約】【課題】プラント内に設けられた複数のメンテナンス対象機器に対するメンテナンス情報の把握を容易化することで、メンテナンスの利便性を向上するメンテナンス情報提供システムを提供する【解決手段】プラント２内に設けられた複数のメンテナンス対象機器４ａ〜４ｆの各々に関するメンテナンス情報を提供するためのメンテナンス情報提供システム１であって、メンテナンス対象機器毎に設けられ、メンテナンス対象機器の個体識別情報を含むビーコン信号をそれぞれ発信するよう構成された複数のビーコン信号発信体６ａ〜６ｆと、ビーコン信号受信部２０及び無線通信部２２を有する移動端末８と、ビーコン信号受信部によって受信したビーコン信号の個体識別情報に応じたメンテナンス情報を、無線通信部と通信して移動端末に提供するよう構成されたメンテナンス情報提供装置１０と、を有する。【選択図】図１
2016001400.tif 000002
【特許請求の範囲】
【請求項１】
プラント内に設けられた複数のメンテナンス対象機器の各々に関するメンテナンス情報を提供するためのメンテナンス情報提供システムであって、
前記メンテナンス対象機器毎に設けられ、前記メンテナンス対象機器の個体識別情報を含むビーコン信号をそれぞれ発信するよう構成された複数のビーコン信号発信体と、
ビーコン信号受信部及び無線通信部を有する移動端末と、
前記ビーコン信号受信部によって受信した前記ビーコン信号の個体識別情報に応じた前記メンテナンス情報を、前記無線通信部と通信して前記移動端末に提供するよう構成されたメンテナンス情報提供装置と、
を有することを特徴とするメンテナンス情報提供システム。
【請求項２】
前記メンテナンス情報は、前記メンテナンス対象機器の各々に関するマニュアル、過去のメンテナンス履歴、新規連絡事項、の少なくとも１つを含むことを特徴とする請求項１に記載のメンテナンス情報提供システム。
【請求項３】
前記メンテナンス情報提供装置は、前記メンテナンス情報が前記メンテナンス対象機器の各々に関する新規連絡事項である場合には、該新規連絡事項をプッシュ型で前記移動端末に提供するよう構成されたことを特徴とする請求項２に記載のメンテナンス情報提供システム。
【請求項４】
前記移動端末は、前記メンテナンス対象機器の各々の状態情報を検出するための状態情報検出部を備え、
前記メンテナンス情報提供装置は、前記ビーコン信号受信部によって受信した前記ビーコン信号の個体識別情報と、前記状態情報検出部によって検出した、該個体識別情報に対応する前記メンテナンス対象機器の状態情報と、に基づいて該個体識別情報に対応する前記メンテナンス対象機器の異常診断を行う異常診断モードを実行し、該異常診断モードにおける異常診断結果を前記メンテナンス情報の少なくとも一部として前記移動端末に提供するよう構成されたことを特徴とする請求項１〜３の何れか１項に記載のメンテナンス情報提供システム。
【請求項５】
前記状態情報検出部はマイクロフォンを備え、
前記異常診断モードは、前記ビーコン信号受信部によって受信した前記ビーコン信号の個体識別情報と、前記マイクロフォンによって検出した、該個体識別情報に対応する前記メンテナンス対象機器の動作音情報と、に基づいて該個体識別情報に対応する前記メンテナンス対象機器の異常診断を行う動作音診断モードを含むことを特徴とする請求項４に記載のメンテナンス情報提供システム。
【請求項６】
前記動作音診断モードにおいて、前記メンテナンス情報提供装置は、前記マイクロフォンによって検出した前記メンテナンス対象機器の動作音情報における所定周波数の音圧レベルが所定レベルを超えた場合に、前記メンテナンス対象機器に異常が有ることを示す診断を行い、
前記所定周波数及び前記所定レベルは、前記個体識別情報毎に設定されることを特徴とする請求項５に記載のメンテナンス情報提供システム。
【請求項７】
前記動作音診断モードにおいて、前記メンテナンス情報提供装置は、前記マイクロフォンによって検出した前記メンテナンス対象機器の動作音情報と、前記メンテナンス対象機器の個体識別情報に関連付けて保存された前記メンテナンス対象機器の過去の動作音情報との比較に基づいて前記メンテナンス対象機器の異常診断を行うことを特徴とする請求項５に記載のメンテナンス情報提供システム。
【請求項８】
前記状態情報検出部はカメラを備え、
前記異常診断モードは、前記ビーコン信号受信部によって受信した前記ビーコン信号の個体識別情報と、前記カメラによって検出した、該個体識別情報に対応する前記メンテナンス対象機器の画像情報と、に基づいて、該個体識別情報に対応する前記メンテナンス対象機器の異常診断を行う画像診断モードを含むことを特徴とする４〜７の何れか１項に記載のメンテナンス情報提供システム。
【請求項９】
前記画像診断モードにおいて、前記メンテナンス情報提供装置は、前記ビーコン信号の個体識別情報に対応する前記メンテナンス対象機器の構成を示す図面情報と、前記カメラによって検出した該メンテナンス対象機器の画像情報と、の比較に基づいて該メンテナンス対象機器の異常診断を行うことを特徴とする請求項８に記載のメンテナンス情報提供システム。
【請求項１０】
前記状態情報検出部は振動センサを備え、
前記異常診断モードは、前記ビーコン信号受信部によって受信した前記ビーコン信号の個体識別情報と、前記振動センサによって検出した、該個体識別情報に対応する前記メンテナンス対象機器の振動情報と、に基づいて、該個体識別情報に対応する前記メンテナンス対象機器の異常診断を行う振動診断モードを含むことを特徴とする請求項４〜９の何れか１項に記載のメンテナンス情報提供システム。
【請求項１１】
前記移動端末は、前記異常診断結果を含む前記メンテナンス情報を前記メンテナンス情報提供装置から提供された場合に、該異常診断結果に対応する前記メンテナンス対象機器の図面を表示するとともに、メンテナンスが必要な箇所のハイライト表示を行うよう構成されたことを特徴とする請求項４〜１０の何れか１項に記載のメンテナンス情報提供システム。
【請求項１２】
前記移動端末は、前記異常診断結果を含む前記メンテナンス情報を前記メンテナンス情報提供装置から提供された場合に、該移動端末が備えるカメラによって検出した、該異常診断結果に対応する前記メンテナンス対象機器の画像を表示するとともに、メンテナンスが必要な箇所のハイライト表示を行うよう構成されたことを特徴とする請求項４〜１０の何れか１項に記載のメンテナンス情報提供システム。
【請求項１３】
前記異常診断結果はメンテナンス情報
前記移動端末は、前記異常診断結果を含む前記メンテナンス情報を前記メンテナンス情報提供装置から提供された場合に、該異常診断結果に対応する前記メンテナンス対象機器について運転パラメータの変更画面を前記メンテナンス情報として表示し、前記運転パラメータを変更可能に構成されたことを特徴とする請求項４〜１２の何れか１項に記載のメンテナンス情報提供システム。
【請求項１４】
前記移動端末は、前記異常診断結果を含む前記メンテナンス情報を前記メンテナンス情報提供装置から提供された場合に、該異常診断結果に対応する前記メンテナンス対象機器について交換が必要な部品と該部品の在庫情報とを前記メンテナンス情報として表示するように構成されたことを特徴とする請求項４〜１３の何れか１項に記載のメンテナンス情報提供システム。
【請求項１５】
前記移動端末は、前記異常診断結果を含む前記メンテナンス情報を前記メンテナンス情報提供装置から提供された場合に、該異常診断結果に対応する前記メンテナンス対象機器について交換が必要な部品を前記メンテナンス情報として表示し、該部品を発注するための情報を送信可能に構成されたことを特徴とする請求項４〜１４の何れか１項に記載のメンテナンス情報提供システム。
【発明の詳細な説明】
【技術分野】
【０００１】
本開示は、プラント内に設けられた複数の機器を対象としたメンテナンス情報提供システムに関する。
【背景技術】
【０００２】
従来、工場や発電所等のプラント内にはポンプやモータ等の様々な機器が設けられており、それらの機器に対して必要なメンテナンスの種類やタイミング等は多岐に亘っているため、メンテナンス要員がそれらの機器のメンテナンス情報をそれぞれ把握することは煩雑さを伴い容易でなかった。
この問題に対し、特許文献１に記載の保守点検サポート方法では、メンテナンス要員（作業技術者）のメンテナンススキルを向上させることで解決を図っている。特許文献１に記載の保守点検サポート方法は、プラント等の設備を構成する構成機器側のメーカが構成機器を使用するユーザの一般作業者に構成機器の作業技術を技術教育して作業技術者として技術認定する技術認定ステップと、作業技術者が実施した構成機器の所要の作業をメーカが確認する確認ステップと、この確認ステップに基づいてメーカが作業の内容を保証する保証ステップとを具備している。
【先行技術文献】
【特許文献】
【０００３】
【特許文献１】特開２００４−１５２１５９
【発明の概要】
【発明が解決しようとする課題】
【０００４】
特許文献１に記載の保守点検サポート方法によれば、メンテナンス要員のメンテナンススキルを向上することはできるものの、メンテナンスの利便性自体に変化はなく、メンテナンス要員のスキル向上のための技術教育に多大な労力を要してしまう。
本発明の少なくとも一実施形態に係る目的は、プラント内に設けられた複数のメンテナンス対象機器に対するメンテナンス情報の把握を容易化することで、メンテナンスの利便性を向上するメンテナンス情報提供システムを提供することを目的とする。
【課題を解決するための手段】
【０００５】
（１）本発明の幾つかの実施形態に係るメンテナンス情報提供システムは、
プラント内に設けられた複数のメンテナンス対象機器の各々に関するメンテナンス情報を提供するためのメンテナンス情報提供システムであって、
前記メンテナンス対象機器毎に設けられ、前記メンテナンス対象機器の個体識別情報を含むビーコン信号をそれぞれ発信するよう構成された複数のビーコン信号発信体と、
ビーコン信号受信部及び無線通信部を有する移動端末と、
前記ビーコン信号受信部によって受信した前記ビーコン信号の個体識別情報に応じた前記メンテナンス情報を、前記無線通信部と通信して前記移動端末に提供するよう構成されたメンテナンス情報提供装置と、
を有することを特徴とする。
【０００６】
上記（１）に記載のメンテナンス情報提供システムにおいて、プラント内において移動端末を携帯したメンテナンス要員が複数のメンテナンス対象機器の何れかに近づいた場合、移動端末は、メンテナンス対象機器から個体識別情報を含むビーコン信号をビーコン信号受信部によって受信する。ビーコン信号受信部がビーコン信号を受信すると、移動端末の無線通信部と通信可能に構成されたメンテナンス情報提供装置から該ビーコン信号の個体識別情報に応じたメンテナンス情報が移動端末に提供される。
したがって、プラント内において移動端末を携帯して移動するメンテナンス要員は、メンテナンス対象機器を識別する作業を要することなく、近づいたメンテナンス対象機器の個体識別情報に応じたメンテナンス情報を該移動端末を介して把握することができる。
これにより、プラント内に設けられた複数のメンテナンス対象機器の各々に関するメンテナンス情報を、メンテナンス対象機器に近づいたメンテナンス要員が容易に把握することができ、メンテナンスの利便性を向上することができる。
【０００７】
（２）幾つかの実施形態では、上記（１）に記載のメンテナンス情報提供システムにおいて、
前記メンテナンス情報は、前記メンテナンス対象機器の各々に関するマニュアル、（前記メンテナンス対象機器の各々に関する）過去のメンテナンス履歴、（前記メンテナンス対象機器の各々に関する）新規連絡事項、の少なくとも１つを含むことを特徴とする。
【０００８】
上記（２）に記載のメンテナンス情報提供システムによれば、プラント内において移動端末を携帯したメンテナンス要員は、移動端末が受信したビーコン信号の個体識別情報に応じたマニュアル、過去のメンテナンス履歴、新規連絡事項の少なくとも１つをメンテナンス情報として把握することができる。したがって、該メンテナンス要員は、メンテナンス対象機器を識別する作業を要することなく、近づいたメンテナンス対象機器のマニュアル、新規連絡事項の少なくとも１つをメンテナンス情報として容易に把握することができるため、メンテナンスの利便性が向上する。
なお、ここでの「新規連絡事項」とは、例えば、該メンテナンス対象機器のメーカからの連絡事項や、他のメンテナンス要員からの引継ぎ事項等が含まれ、該移動端末がまだ受信していない連絡事項や、発生してから所定期間（例えば１週間）を経過していない連絡事項のことを意味する。
【０００９】
（３）幾つかの実施形態では、上記（２）に記載のメンテナンス情報提供システムにおいて、
前記メンテナンス情報提供装置は、前記メンテナンス情報が前記メンテナンス対象機器の各々に関する新規連絡事項である場合には、該新規連絡事項をプッシュ型で前記移動端末に提供するよう構成されたことを特徴とする。
【００１０】
上記（３）に記載のメンテナンス情報提供システムによれば、プラント内においてメンテナンス要員がメンテナンス対象機器の何れかに近づいた際に、該メンテナンス対象機器に関する新規連絡事項が存在する場合には、メンテナンス要員側からメンテナンス情報提供装置に対して該新規連絡事項の提供を要求することなく、メンテナンス情報提供装置から移動端末に該新規連絡事項が提供される。
したがって、メンテナンス要員は、近づいたメンテナンス対象機器に関する新規連絡事項を容易に把握することができるため、メンテナンスの利便性が向上する。
【００１１】
（４）幾つかの実施形態では、上記（１）〜（３）の何れか１項に記載のメンテナンス情報提供システムにおいて、
前記移動端末は、前記メンテナンス対象機器の各々の状態情報を検出するための状態情報検出部を備え、
前記メンテナンス情報提供装置は、前記ビーコン信号受信部によって受信した前記ビーコン信号の個体識別情報と、前記状態情報検出部によって検出した、該個体識別情報に対応する前記メンテナンス対象機器の状態情報と、に基づいて該個体識別情報に対応する前記メンテナンス対象機器の異常診断を行う異常診断モードを実行し、該異常診断モードにおける異常診断結果を前記メンテナンス情報の少なくとも一部として前記移動端末に提供するよう構成されたことを特徴とする。
【００１２】
上記（４）に記載のメンテナンス情報提供システムによれば、メンテナンスに関しメンテナンス要員に対する技術教育に要する労力を低減しつつ、簡易な構成でメンテナンス対象機器の異常診断を実施することが可能となる。
【００１３】
（５）幾つかの実施形態では、上記（４）に記載のメンテナンス情報提供システムにおいて、
前記状態情報検出部はマイクロフォンを備え、
前記異常診断モードは、前記ビーコン信号受信部によって受信した前記ビーコン信号の個体識別情報と、前記マイクロフォンによって検出した、該個体識別情報に対応する前記メンテナンス対象機器の動作音情報と、に基づいて該個体識別情報に対応する前記メンテナンス対象機器の異常診断を行う動作音診断モードを含むことを特徴とする。
【００１４】
上記（５）に記載のメンテナンス情報提供システムによれば、各メンテナンス対象機器の外観に表れないような内部構造の異常に関しても、簡易な構成で異常診断を実施し、メンテナンス情報を提供することが可能となる。
【００１５】
（６）幾つかの実施形態では、上記（５）に記載のメンテナンス情報提供システムにおいて、
前記動作音診断モードにおいて、前記メンテナンス情報提供装置は、前記マイクロフォンによって検出した前記メンテナンス対象機器の動作音情報における所定周波数の音圧レベルが所定レベルを超えた場合に、前記メンテナンス対象機器に異常が有ることを示す診断を行い、
前記所定周波数及び前記所定レベルは、前記個体識別情報毎に設定されることを特徴とする。
【００１６】
上記（６）に記載のメンテナンス情報提供システムによれば、異常診断における診断基準として周波数と音圧レベルとの関係が個体識別情報毎に設定され、検出したメンテナンス対象機器の動作音情報と該個体識別情報毎の基準周波数と音圧レベルの関係とを比較し、比較した結果が予め定められた所定レベル（経験則やシミュレーション等により定められる許容レベル）を超えるか否かで診断されるため、各メンテナンス対象機器に対して動作音情報に基づく詳細な異常診断を行うことが可能となる。
【００１７】
（７）幾つかの実施形態では、上記（５）又は（６）に記載のメンテナンス情報提供システムにおいて、
前記動作音診断モードにおいて、前記メンテナンス情報提供装置は、前記マイクロフォンによって検出した前記メンテナンス対象機器の動作音情報と、前記メンテナンス対象機器の個体識別情報に関連付けて保存された前記メンテナンス対象機器の過去の動作音情報との比較に基づいて前記メンテナンス対象機器の異常診断を行うことを特徴とする。
【００１８】
上記（７）に記載のメンテナンス情報提供システムによれば、各メンテナンス対象機器について動作音の経時的変化を生じるような異常について異常診断を行い、メンテナンス情報を提供することができる。
【００１９】
（８）幾つかの実施形態では、上記（４）〜（７）の何れか１項に記載のメンテナンス情報提供システムにおいて、
前記状態情報検出部はカメラを備え、
前記異常診断モードは、前記ビーコン信号受信部によって受信した前記ビーコン信号の個体識別情報と、前記カメラによって検出した、該個体識別情報に対応する前記メンテナンス対象機器の画像情報と、に基づいて、該個体識別情報に対応する前記メンテナンス対象機器の異常診断を行う画像診断モードを含むことを特徴とする。
【００２０】
上記（８）に記載のメンテナンス情報提供システムによれば、各メンテナンス対象機器の外観に表れる異常を簡易な構成で診断し、メンテナンス情報を提供することができる。
【００２１】
（９）幾つかの実施形態では、上記（８）に記載のメンテナンス情報提供システムにおいて、
前記画像診断モードにおいて、前記メンテナンス情報提供装置は、前記ビーコン信号の個体識別情報に対応する前記メンテナンス対象機器の構成を示す図面情報と、前記カメラによって検出した該メンテナンス対象機器の画像情報と、の比較に基づいて該メンテナンス対象機器の異常診断を行うことを特徴とする。
【００２２】
上記（９）に記載のメンテナンス情報提供システムによれば、各メンテナンス対象機器の外観に表れる異常を、該メンテナンス対象機器の図面情報との対比により診断し、メンテナンス情報を提供することができる。
【００２３】
（１０）幾つかの実施形態では、上記（４）〜（９）の何れか１項に記載のメンテナンス情報提供システムにおいて、
前記状態情報検出部は振動センサであり、
前記異常診断モードは、前記ビーコン信号受信部によって受信した前記ビーコン信号の個体識別情報と、前記振動センサによって検出した、該個体識別情報に対応する前記メンテナンス対象機器の振動情報と、に基づいて、該個体識別情報に対応する前記メンテナンス対象機器の異常診断を行う振動診断モードを含むことを特徴とする。
【００２４】
上記（１０）に記載のメンテナンス情報提供システムによれば、メンテナンス対象機器の外観に表れないような内部構造の異常に関しても、簡易な構成で異常診断を実施し、メンテナンス情報を提供することができる。
【００２５】
（１１）幾つかの実施形態では、上記（４）〜（１０）の何れか１項に記載のメンテナンス情報提供システムにおいて、
前記移動端末は、前記異常診断結果を含む前記メンテナンス情報を前記メンテナンス情報提供装置から提供された場合に、該異常診断結果に対応する前記メンテナンス対象機器の構成を示す図面を表示するとともに、メンテナンスが必要な箇所のハイライト表示を行うよう構成されたことを特徴とする。
【００２６】
上記（１１）に記載のメンテナンス情報提供システムによれば、各メンテナンス対象機器におけるメンテナンスが必要な箇所を、メンテナンス要員に対し視覚的に明瞭に提示することができる。
【００２７】
（１２）幾つかの実施形態では、上記（４）〜（１０）の何れか１項に記載のメンテナンス情報提供システムにおいて、
前記移動端末は、前記異常診断結果を含む前記メンテナンス情報を前記メンテナンス情報提供装置から提供された場合に、該移動端末が備えるカメラによって検出した、該異常診断結果に対応する前記メンテナンス対象機器の画像を表示するとともに、メンテナンスが必要な箇所のハイライト表示を行うよう構成されたことを特徴とする。
【００２８】
上記（１２）に記載のメンテナンス情報提供システムによれば、各メンテナンス対象機器４ａ〜４ｆにおけるメンテナンスが必要な箇所を、メンテナンス要員５に対し視覚的に明瞭に提示することができる。
【００２９】
（１３）幾つかの実施形態では、上記（４）〜（１２）の何れか１項に記載のメンテナンス情報提供システムにおいて、
前記移動端末は、前記異常診断結果を含む前記メンテナンス情報を前記メンテナンス情報提供装置から提供された場合に、該異常診断結果に対応する前記メンテナンス対象機器について運転パラメータの変更画面を前記メンテナンス情報として表示し、前記運転パラメータを変更可能に構成されたことを特徴とする。
【００３０】
上記（１３）に記載のメンテナンス情報提供システムによれば、各メンテナンス対象機器４における運転パラメータの変更画面を、メンテナンス要員に視覚的に明瞭に提示し、運転パラメータの変更作業を容易化することができる。また、中央制御装置でパラメータを変更するのではなく、現場で運転パラメータを即時変更することが可能となるため、異常状態の継続による重大損傷を避けることができる。
【００３１】
（１４）幾つかの実施形態では、上記（４）〜（１３）の何れか１項に記載のメンテナンス情報提供システムにおいて、
前記移動端末は、前記異常診断結果を含む前記メンテナンス情報を前記メンテナンス情報提供装置から提供された場合に、該異常診断結果に対応する前記メンテナンス対象機器について交換が必要な部品と該部品の在庫情報とを前記メンテナンス情報として表示するように構成されたことを特徴とする。
【００３２】
上記（１４）に記載のメンテナンス情報提供システムによれば、各メンテナンス対象機器における交換が必要な部品と該部品の在庫情報とを、メンテナンス要員が視覚的に明瞭かつ容易に把握することができる。
【００３３】
（１５）幾つかの実施形態では、上記（４）〜（１４）の何れか１項に記載のメンテナンス情報提供システムにおいて、
前記移動端末は、前記異常診断結果を含む前記メンテナンス情報を前記メンテナンス情報提供装置から提供された場合に、該異常診断結果に対応する前記メンテナンス対象機器について交換が必要な部品を前記メンテナンス情報として表示し、該部品を発注可能に構成されたことを特徴とする。
【００３４】
上記（１５）に記載のメンテナンス情報提供システムによれば、各メンテナンス対象機器における交換が必要な部品を、メンテナンス要員に対し視覚的に明瞭に提示し、発注作業を容易化することができる。
【発明の効果】
【００３５】
本発明の少なくとも一実施形態によれば、プラント内に設けられた複数のメンテナンス対象機器に対するメンテナンス情報の把握を容易化することで、メンテナンスの利便性を向上するメンテナンス情報提供システムを提供することができる。
【図面の簡単な説明】
【００３６】
【図１】幾つかの実施形態に係るメンテナンス情報提供システムの全体構成を示す模式図である。
【図２】幾つかの実施形態に係るメンテナンス情報提供システムの一部に係る詳細構成を示すブロック図である。
【図３】幾つかの実施形態に係る移動端末の表示部における表示画面の例を示す図である。
【図４】幾つかの実施形態に係る移動端末の表示部における表示画面の例を示す図である。
【図５】幾つかの実施形態に係る移動端末の表示部における表示画面の例を示す図である。
【発明を実施するための形態】
【００３７】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００３８】
図１は、幾つかの実施形態に係るメンテナンス情報提供システム１の全体構成を示す模式図であり、図２は、メンテナンス情報提供システム１の詳細構成を示すブロック図である。
【００３９】
図１に示すメンテナンス情報提供システム１は、プラント２内に設けられた複数種類のメンテナンス対象機器４ａ〜４ｆの各々に関するメンテナンス情報をメンテナンス要員５に提供するよう構成されている。プラント２における複数種類のメンテナンス対象機器４ａ〜４ｆは、該メンテナンス対象機器４ａ〜４ｆにそれぞれ設けられた複数の分散制御装置４０ａ〜４０ｆによってそれぞれ制御され、分散制御装置４０ａ〜４０ｆは、中央制御装置４２によって統括的に制御される。
【００４０】
メンテナンス情報提供システム１は、図１に示すように、複数のビーコン信号発信体６ａ〜６ｆと、移動端末８と、メンテナンス情報提供装置１０と、を少なくとも備えている。
【００４１】
複数のビーコン信号発信体６ａ〜６ｆは、図１に示すように、複数のメンテナンス対象機器４ａ〜４ｆに対してそれぞれ設けられ、メンテナンス対象機器４ａ〜４ｆの個体識別情報を含むビーコン信号をそれぞれ発信するよう構成されている。
図２に示す移動端末８は、ビーコン信号受信部２０、無線通信部２２、表示部２４、各メンテナンス対象機器４ａ〜４ｆの後述する状態情報を検出するための状態情報検出部２６、制御部２８を有している。無線通信部２２、表示部２４、状態情報検出部２６の各動作は、制御部２８によって制御される。
メンテナンス情報提供装置１０は、ビーコン信号受信部２０によって受信したビーコン信号の個体識別情報に応じたメンテナンス情報を、無線通信部２２と通信して移動端末８に提供するよう構成されている。
【００４２】
図１に示すプラント２内において、移動端末８を携帯したメンテナンス要員５が複数のメンテナンス対象機器４ａ〜４ｆの何れかに近づいた場合、移動端末８は、近づいたメンテナンス対象機器（４ａ〜４ｆの何れか）に対応するビーコン信号発信体（６ａ〜６ｆの何れか）から個体識別情報を含むビーコン信号をビーコン信号受信部２０により受信する。例えば、メンテナンス要員５がメンテナンス対象機器４ｆに近づいた場合、移動端末８は、メンテナンス対象機器４ｆに対応するビーコン信号発信体６ｆから個体識別情報を含むビーコン信号を受信する。
ビーコン信号受信部２０がビーコン信号を受信すると、移動端末８の無線通信部２２と通信可能に構成されたメンテナンス情報提供装置１０から該ビーコン信号の個体識別情報に応じたメンテナンス情報が移動端末８に提供される。例えば、メンテナンス要員５がメンテナンス対象機器４ｆに近づいた場合、移動端末８は、個体識別情報に応じてメンテナンス対象機器４ｆに対応するメンテナンス情報をメンテナンス情報提供装置１０から提供される。なお、移動端末８には、メンテナンス要員５が最も近接したメンテナンス対象機器（４ａ〜４ｆの何れか）に関するメンテナンス情報だけが提供されてもよいし、メンテナンス要員５から所定範囲内にあるメンテナンス対象機器全てに関するメンテナンス情報が提供されてもよい。
これにより、プラント２内において移動端末８を携帯して移動するメンテナンス要員５は、メンテナンス対象機器４ａ〜４ｆの各々を識別する作業を要することなく、近づいたメンテナンス対象機器（４ａ〜４ｆの何れか）の個体識別情報に応じたメンテナンス情報を該移動端末８を介して把握することができる。
したがって、プラント２内に設けられた複数のメンテナンス対象機器４ａ〜４ｆの各々に関するメンテナンス情報を、メンテナンス対象機器４ａ〜４ｆの各々に近づいたメンテナンス要員５が容易に把握することができ、メンテナンスの利便性を向上することが可能となる。
【００４３】
幾つかの実施形態では、図１及び図２に示すメンテナンス情報提供システム１において、メンテナンス情報提供装置１０によって提供される上記メンテナンス情報は、メンテナンス対象機器４ａ〜４ｆの各々に関するマニュアル、過去のメンテナンス履歴、メンテナンス対象機器４ａ〜４ｆの各々に関する新規連絡事項、の少なくとも１つを含む。
この場合、プラント２内において移動端末８を携帯したメンテナンス要員５は、移動端末８が受信したビーコン信号の個体識別情報に応じたマニュアル、新規連絡事項の少なくとも１つをメンテナンス情報として把握することができる。したがって、該メンテナンス要員５は、メンテナンス対象機器４ａ〜４ｆの各々を識別する作業を要することなく、近づいたメンテナンス対象機器４ａ〜４ｆの各々についてのマニュアル、新規連絡事項の少なくとも１つをメンテナンス情報として容易に把握することができるため、メンテナンスの利便性が向上する。
【００４４】
上記メンテナンス情報の提供は、プッシュ型でもよく、プル型でもよいが、特に、上記メンテナンス情報がメンテナンス対象機器４ａ〜４ｆの各々に関する新規連絡事項である場合には、該新規連絡事項をプッシュ型で移動端末８に提供するようメンテナンス情報提供装置１０を構成することが好ましい。この場合、プラント２内においてメンテナンス要員５がメンテナンス対象機器４ａ〜４ｆの何れかに近づいた際に、該メンテナンス対象機器４に関する新規連絡事項が存在する場合には、メンテナンス要員５側からメンテナンス情報提供装置１０に対して該新規連絡事項の提供を要求することなく、メンテナンス情報提供装置１０から移動端末８に該新規連絡事項が提供される。例えば、プラント２内においてメンテナンス要員５がメンテナンス対象機器４ｆに近づいた際に、該メンテナンス対象機器４ｆに関する新規連絡事項が存在する場合には、メンテナンス要員５側からメンテナンス情報提供装置１０に対して該新規連絡事項の提供を要求することなく、メンテナンス情報提供装置１０から移動端末８に該新規連絡事項が提供される。
したがって、メンテナンス要員５は、近づいたメンテナンス対象機器４ａ〜４ｆの各々に関する新規連絡事項を容易に把握することができるため、メンテナンスの利便性が向上する。
【００４５】
幾つかの実施形態では、図２に示すメンテナンス情報提供装置１０は、移動端末８のビーコン信号受信部２０によって受信したビーコン信号の個体識別情報と、状態情報検出部２６によって検出した、該個体識別情報に対応するメンテナンス対象機器（４ａ〜４ｆの何れか）の状態情報と、に基づいて該個体識別情報に対応するメンテナンス対象機器（４ａ〜４ｆの何れか）の異常診断を行う異常診断モードを実行可能に構成される。メンテナンス情報提供装置１０は、異常診断モードにおける異常診断結果をメンテナンス情報の少なくとも一部として移動端末８に提供する。
例えば、移動端末８を携帯するメンテナンス要員５がメンテナンス対象機器４ｆに近づいた場合、移動端末８のビーコン信号受信部２０は、メンテナンス対象機器４ｆに対応する個体識別情報を含むビーコン信号をビーコン信号発信体６ｆから受信する。この場合、メンテナンス情報提供装置１０は、ビーコン信号受信部２０によって受信したビーコン信号の個体識別情報（メンテナンス対象機器４ｆに対応する個体識別情報）と、状態情報検出部２６によって検出したメンテナンス対象機器４ｆの状態情報とに基づいてメンテナンス対象機器４ｆの異常診断を行う異常診断モードを実行し、異常診断結果をメンテナンス情報の少なくとも一部として移動端末８に提供する。
【００４６】
なお、図２に示すメンテナンス情報提供装置１０は、中央制御装置４２及びメンテナンス情報管理サーバ５０で構成されている。図２に示したメンテナンス情報提供システム１においては、移動端末８の無線通信部２２は、ビーコン信号受信部２０によって受信したビーコン信号の個体識別情報と、状態情報検出部２６によって検出した、該個体識別情報に対応するメンテナンス対象機器（４ａ〜４ｆの何れか）の状態情報と、を中央制御装置４２に無線送信する。中央制御装置４２は、移動端末８の無線通信部２２から受信した個体識別情報及び状態情報を、ネットワーク４４を介してメンテナンス情報管理サーバ５０に送信する。
【００４７】
メンテナンス情報管理サーバ５０は、メンテナンス対象機器４ａ〜４ｆの個体識別情報毎に、各メンテナンス対象機器４ａ〜４ｆの正常状態を示す正常状態情報、または過去にプラントトラブルにつながった異常状態を示す異常状態情報、のうち少なくとも一方を記憶している。上記異常診断モードにおいて、メンテナンス情報管理サーバ５０は、ビーコン信号受信部２０が受信したビーコン信号の個体識別情報に対応する正常状態情報または異常状態情報のうち少なくとも一方と、状態情報検出部２６が検出した、該個体識別情報に対応するメンテナンス対象機器（４ａ〜４ｆの何れか）の状態情報と、の比較に基づいて、該個体識別情報に対応するメンテナンス対象機器（４ａ〜４ｆの何れか）の異常診断を行い、異常診断結果を、メンテナンス情報の少なくとも一部として中央制御装置４２を介して移動端末８の無線通信部２２に送信する。例えば、状態情報検出部２６が検出した、該個体識別情報に対応するメンテナンス対象機器（４ａ〜４ｆの何れか）の状態情報が、ビーコン信号受信部２０が受信したビーコン信号の個体識別情報に対応する正常状態情報から逸脱している場合に、該当するメンテナンス対象機器に異常が発生していると診断してもよい。また、状態情報検出部２６が検出した、該個体識別情報に対応するメンテナンス対象機器（４ａ〜４ｆの何れか）の状態情報が、ビーコン信号受信部２０が受信したビーコン信号の個体識別情報に対応する異常状態情報に合致している場合に、該当するメンテナンス対象機器に異常が発生していると診断してもよい。
【００４８】
このように、メンテナンス情報提供装置１０は、移動端末８のビーコン信号受信部２０によって受信したビーコン信号の個体識別情報と、移動端末８の状態情報検出部２６によって検出した、該個体識別情報に対応するメンテナンス対象機器（４ａ〜４ｆの何れか）の状態情報と、に基づいて、該個体識別情報に対応するメンテナンス対象機器（４ａ〜４ｆの何れか）の異常診断を行う異常診断モードを実行する。そして、異常診断モードにおける異常診断結果をメンテナンス情報の少なくとも一部として移動端末８に提供する。したがって、メンテナンスに関しメンテナンス要員５に対する技術教育に要する労力を低減しつつ、簡易な構成で各メンテナンス対象機器４ａ〜４ｆの異常診断を実施することが可能となる。
【００４９】
図２に示すように、幾つかの実施形態では、状態情報検出部２６はマイクロフォン３０を備えている。マイクロフォン３０は、各メンテナンス対象機器４ａ〜４ｆの状態情報の一つとして、各メンテナンス対象機器４ａ〜４ｆの動作音情報を検出可能に構成されている。この場合、図２を用いて上述した異常診断モードは、ビーコン信号受信部２０によって受信したビーコン信号の個体識別情報と、マイクロフォン３０によって検出した、該個体識別情報に対応するメンテナンス対象機器（４ａ〜４ｆの何れか）の動作音情報と、に基づいて、該個体識別情報に対応するメンテナンス対象機器（４ａ〜４ｆの何れか）の異常診断を行う動作音診断モードを含む。
例えば、移動端末８を携帯するメンテナンス要員５がメンテナンス対象機器４ｆに近づいた場合、移動端末８のビーコン信号受信部２０は、メンテナンス対象機器４ｆに対応する個体識別情報を含むビーコン信号をビーコン信号発信体６ｆから受信する。この場合、メンテナンス情報提供装置１０は、ビーコン信号受信部２０によって受信したビーコン信号の個体識別情報（メンテナンス対象機器４ｆに対応する個体識別情報）と、マイクロフォン３０によって検出したメンテナンス対象機器４ｆの動作音情報とに基づいてメンテナンス対象機器４ｆの異常診断を行う動作音診断モードを実行し、異常診断結果をメンテナンス情報の少なくとも一部として移動端末８に提供する。
【００５０】
図２に示したメンテナンス情報提供システム１においては、移動端末８の無線通信部２２は、ビーコン信号受信部２０によって受信したビーコン信号の個体識別情報と、マイクロフォン３０によって検出した、該個体識別情報に対応するメンテナンス対象機器（４ａ〜４ｆの何れか）の動作音情報と、を中央制御装置４２に無線送信する。中央制御装置４２は、移動端末８の無線通信部２２から受信した個体識別情報及び動作音情報を、ネットワーク４４を介してメンテナンス情報管理サーバ５０に送信する。
【００５１】
図２に示したメンテナンス情報管理サーバ５０は、幾つかの実施形態では、メンテナンス対象機器４ａ〜４ｆの個体識別情報毎に、各メンテナンス対象機器４ａ〜４ｆの正常状態における動作音情報を記憶している。この場合、動作音診断モードにおいて、メンテナンス情報管理サーバ５０は、ビーコン信号受信部２０が受信したビーコン信号の個体識別情報に対応する正常状態の動作音情報と、マイクロフォン３０が検出した、該個体識別情報に対応するメンテナンス対象機器（４ａ〜４ｆの何れか）の動作音情報と、の比較に基づいて、該個体識別情報に対応するメンテナンス対象機器（４ａ〜４ｆの何れか）の異常診断を行う。
幾つかの実施形態に係るメンテナンス情報管理サーバ５０は、動作音診断モードにおいて、マイクロフォン３０によって検出したメンテナンス対象機器（４ａ〜４ｆの何れか）の動作音情報に対して周波数解析を行う。この場合、メンテナンス情報管理サーバ５０は、該動作音情報における所定周波数の音圧レベルが所定レベル（正常状態の範囲を示すレベル）を超えた場合に、該メンテナンス対象機器（４ａ〜４ｆの何れか）に異常が有ることを示す異常診断を行い、異常診断結果をメンテナンス情報の少なくとも一部として中央制御装置４２を介して移動端末８に送信する。ここで、上記所定周波数及び上記所定レベルは、個体識別情報毎に（メンテナンス対象機器毎に）設定されるため、、各メンテナンス対象機器４ａ〜４ｆに対して動作音情報に基づく詳細な異常診断を行うことが可能となる。
【００５２】
図２に示したメンテナンス情報管理サーバ５０は、幾つかの実施形態では、メンテナンス対象機器４ａ〜４ｆの個体識別情報毎に、マイクロフォン３０によって検出した各メンテナンス対象機器４ａ〜４ｆの過去の動作音情報を記憶している。この場合、動作音診断モードにおいて、メンテナンス情報管理サーバ５０は、マイクロフォン３０によって検出したメンテナンス対象機器（４ａ〜４ｆの何れか）の動作音情報と、該メンテナンス対象機器（４ａ〜４ｆの何れか）の個体識別情報に関連付けて保存された該メンテナンス対象機器（４ａ〜４ｆの何れか）の過去の動作音情報との比較に基づいて該メンテナンス対象機器（４ａ〜４ｆの何れか）の異常診断を実施し、異常診断結果をメンテナンス情報の少なくとも一部として中央制御装置４２を介して移動端末８に送信する。
例えば、メンテナンス情報管理サーバ５０は、マイクロフォン３０によって検出したメンテナンス対象機器４ｆの現在の動作音情報と、メンテナンス情報管理サーバ５０に保存された該メンテナンス対象機器４ｆの過去の動作音情報との比較に基づいてメンテナンス対象機器４ｆの異常診断を行う動作音診断モードを実行する。メンテナンス情報管理サーバ５０は、異常診断結果をメンテナンス情報の少なくとも一部として中央制御装置４２を介して移動端末８に送信する。これにより、各メンテナンス対象機器４ａ〜４ｆについて動作音の経時的変化を生じる異常を診断し、メンテナンス情報を提供することができる。
【００５３】
以上のように、幾つかの実施形態に係るメンテナンス情報提供装置１０が実行する異常診断モードは、移動端末８のビーコン信号受信部２０によって受信したビーコン信号の個体識別情報と、移動端末８のマイクロフォン３０によって検出した、該個体識別情報に対応するメンテナンス対象機器（４ａ〜４ｆの何れか）の動作音情報と、に基づいて、該個体識別情報に対応するメンテナンス対象機器（４ａ〜４ｆの何れか）の異常診断を行う動作音診断モードを含む。したがって、各メンテナンス対象機器４ａ〜４ｆの外観に表れないような内部構造の異常に関しても、簡易な構成で異常診断を実施し、メンテナンス情報を提供することが可能となる。
【００５４】
図２に示すように、幾つかの実施形態では、状態情報検出部２６はカメラ３２を備えている。カメラ３２は、各メンテナンス対象機器４ａ〜４ｆの状態情報の一つとして、各メンテナンス対象機器４ａ〜４ｆの画像情報を検出可能に構成されている。この場合、図２を用いて上述した異常診断モードは、ビーコン信号受信部２０によって受信したビーコン信号の個体識別情報と、カメラ３２によって検出した、該個体識別情報に対応するメンテナンス対象機器４の画像情報と、に基づいて、該個体識別情報に対応するメンテナンス対象機器（４ａ〜４ｆの何れか）の異常診断を行う画像診断モードを含む。
例えば、移動端末８を携帯するメンテナンス要員５がメンテナンス対象機器４ｆに近づいた場合、移動端末８のビーコン信号受信部２０は、メンテナンス対象機器４ｆに対応する個体識別情報を含むビーコン信号をビーコン信号発信体６ｆから受信する。この場合、メンテナンス情報提供装置１０は、ビーコン信号受信部２０によって受信したビーコン信号の個体識別情報（メンテナンス対象機器４ｆに対応する個体識別情報）と、カメラ３２によって検出したメンテナンス対象機器４ｆの画像情報と、に基づいてメンテナンス対象機器４ｆの異常診断を行う画像診断モードを実行し、異常診断結果をメンテナンス情報の少なくとも一部として移動端末８に提供する。
【００５５】
図２に示したメンテナンス情報提供システム１においては、移動端末８の無線通信部２２は、ビーコン信号受信部２０によって受信したビーコン信号の個体識別情報と、カメラ３２によって検出した、該個体識別情報に対応するメンテナンス対象機器（４ａ〜４ｆの何れか）の画像情報と、を中央制御装置４２に無線送信する。中央制御装置４２は、移動端末８の無線通信部２２から受信した個体識別情報及び画像情報を、ネットワーク４４を介してメンテナンス情報管理サーバ５０に送信する。
【００５６】
図２に示すメンテナンス情報管理サーバ５０は、幾つかの実施形態では、メンテナンス対象機器４ａ〜４ｆの個体識別情報毎に、各メンテナンス対象機器４ａ〜４ｆの構成を示す図面情報を記憶している。この場合、画像診断モードにおいて、メンテナンス情報管理サーバ５０は、ビーコン信号受信部２０が受信したビーコン信号の個体識別情報に対応するメンテナンス対象機器（４ａ〜４ｆの何れか）の構成を示す図面情報と、カメラ３２が検出した該メンテナンス対象機器（４ａ〜４ｆの何れか）の画像情報と、の比較に基づいて、該メンテナンス対象機器（４ａ〜４ｆの何れか）の異常診断を実施し、異常診断結果を上記メンテナンス情報の少なくとも一部として移動端末８に送信する。
例えば、移動端末８を携帯するメンテナンス要員５がメンテナンス対象機器４ｆに近づいた場合、移動端末８のビーコン信号受信部２０は、メンテナンス対象機器４ｆに対応する個体識別情報を含むビーコン信号をビーコン信号発信体６ｆから受信する。この場合、画像診断モードにおいて、メンテナンス情報提供装置１０は、ビーコン信号受信部２０によって受信したビーコン信号の個体識別情報に対応するメンテナンス対象機器４ｆの構成を示す図面情報と、状態情報検出部２６（カメラ）によって検出した、該個体識別情報に対応するメンテナンス対象機器４ｆの画像情報と、の比較に基づいて、該個体識別情報に対応するメンテナンス対象機器４ｆの異常診断を行い、異常診断結果をメンテナンス情報の少なくとも一部として移動端末８に提供する。
【００５７】
以上のように、幾つかの実施形態に係るメンテナンス情報提供装置１０が実行する異常診断モードは、移動端末８のビーコン信号受信部２０が受信したビーコン信号の個体識別情報と、移動端末８のカメラ３２によって検出した、該個体識別情報に対応するメンテナンス対象機器（４ａ〜４ｆの何れか）の画像情報と、に基づいて該個体識別情報に対応するメンテナンス対象機器（４ａ〜４ｆの何れか）の異常診断を行う画像診断モードを含む。したがって、各メンテナンス対象機器４ａ〜４ｆの外観に表れる異常を簡易な構成で診断し、メンテナンス情報を提供することができる。
【００５８】
図２に示すように、幾つかの実施形態では、状態情報検出部２６は振動センサ３４を備えている。振動センサ３４は、各メンテナンス対象機器４ａ〜４ｆの状態情報の一つとして、各メンテナンス対象機器４ａ〜４ｆの振動情報を検出可能に構成されている。この場合、図２を用いて上述した異常診断モードは、ビーコン信号受信部２０によって受信したビーコン信号の個体識別情報と、振動センサ３４によって検出した、該個体識別情報に対応するメンテナンス対象機器（４ａ〜４ｆの何れか）の振動情報と、に基づいて、該個体識別情報に対応するメンテナンス対象機器（４ａ〜４ｆの何れか）の異常診断を行う振動診断モードを含む。
例えば、移動端末８を携帯するメンテナンス要員５がメンテナンス対象機器４ｆに近づいた場合、移動端末８のビーコン信号受信部２０は、メンテナンス対象機器４ｆに対応する個体識別情報を含むビーコン信号をビーコン信号発信体６ｆから受信する。この場合、メンテナンス情報提供装置１０は、ビーコン信号受信部２０によって受信したビーコン信号の個体識別情報（メンテナンス対象機器４ｆに対応する個体識別情報）と、振動センサ３４によって検出したメンテナンス対象機器４ｆの振動情報とに基づいてメンテナンス対象機器４ｆの異常診断を行う振動診断モードを実行し、異常診断結果をメンテナンス情報の少なくとも一部として移動端末８に提供する。
【００５９】
図２に示したメンテナンス情報提供システム１においては、移動端末８の無線通信部２２は、ビーコン信号受信部２０によって受信したビーコン信号の個体識別情報と、振動センサ３４によって検出した、該個体識別情報に対応するメンテナンス対象機器（４ａ〜４ｆの何れか）の振動情報と、を中央制御装置４２に無線送信する。中央制御装置４２は、移動端末８の無線通信部２２から受信した個体識別情報及び振動情報を、ネットワーク４４を介してメンテナンス情報管理サーバ５０に送信する。
【００６０】
図２に示したメンテナンス情報管理サーバ５０は、幾つかの実施形態では、メンテナンス対象機器４の個体識別情報毎に、各メンテナンス対象機器４ａ〜４ｆの正常状態での振動情報を記憶している。この場合、振動診断モードにおいて、メンテナンス情報管理サーバ５０は、ビーコン信号受信部２０が受信したビーコン信号の個体識別情報に対応する正常状態の振動情報と、振動センサ３４が検出した、該個体識別情報に対応するメンテナンス対象機器（４ａ〜４ｆの何れか）の振動情報と、の比較に基づいて、該個体識別情報に対応するメンテナンス対象機器（４ａ〜４ｆの何れか）の異常診断を行う。
例えば、振動診断モードにおいて、メンテナンス情報管理サーバ５０は、振動センサ３４によって検出したメンテナンス対象機器４ｆの振動情報における振動の振幅が所定レベル（正常状態の範囲を示すレベル）を超えた場合に、メンテナンス対象機器４ｆに異常が有ることを示す異常診断結果を、メンテナンス情報の少なくとも一部として中央制御装置４２を介して移動端末８に送信する。なお、上記所定レベルは、個体識別情報毎に（メンテナンス対象機器毎に）異なる値に設定される。
【００６１】
図２に示したメンテナンス情報管理サーバ５０は、幾つかの実施形態では、メンテナンス対象機器４の個体識別情報毎に、振動センサ３４によって検出した各メンテナンス対象機器４ａ〜４ｆの過去の振動情報を記憶している。この場合、振動診断モードにおいて、メンテナンス情報管理サーバ５０は、振動センサ３４によって検出したメンテナンス対象機器（４ａ〜４ｆの何れか）の現在の振動情報と、個体識別情報に関連付けて保存された該メンテナンス対象機器（４ａ〜４ｆの何れか）の過去の振動情報との比較に基づいて、該メンテナンス対象機器（４ａ〜４ｆの何れか）の異常診断を実行する。メンテナンス情報管理サーバ５０は、異常診断結果をメンテナンス情報の少なくとも一部として中央制御装置４２を介して移動端末８に送信する。
【００６２】
以上のように、幾つかの実施形態に係るメンテナンス情報提供装置１０が実行する異常診断モードは、ビーコン信号受信部２０が受信したビーコン信号の個体識別情報と、振動センサ３４によって検出した、該個体識別情報に対応するメンテナンス対象機器（４ａ〜４ｆの何れか）の振動情報と、に基づいて、該個体識別情報に対応するメンテナンス対象機器（４ａ〜４ｆの何れか）の異常診断を行う振動診断モードを含む。したがって、メンテナンス対象機器４ａ〜４ｆの外観に表れないような内部構造の異常に関しても、簡易な構成で異常診断を実施し、メンテナンス情報を提供することができる。
なお、振動センサ３４は、測定対象に応じて圧電型、電磁式、静電容量式、光学式等、種々の振動センサを用いることが可能である。図２においてはカメラ３２と振動センサ３４とを分けて記載しているが、カメラ３２を振動センサとして使用することも可能である。この場合、カメラ３２によって検出した画像情報（動画情報）をメンテナンス対象機器（４ａ〜４ｆの何れか）の振動情報として異常診断に用いることができる。また、サーモカメラによるメンテナンス対象機器各部の温度情報から異常診断を行ってもよい。
【００６３】
図１及び図２を用いて説明した上記メンテナンス情報提供システム１において、幾つかの実施形態に係る移動端末８は、上述の異常診断結果を含むメンテナンス情報をメンテナンス情報提供装置１０から提供された場合に、図３に示すように、該異常診断結果に対応するメンテナンス対象機器（４ａ〜４ｆの何れか）の図面６０を表示部２４に表示するとともに、該図面６０中においてメンテナンスが必要な箇所のハイライト表示（図３中ではハッチング表示にて代替的に表現）を行うよう構成される。なお、メンテナンス対象機器（４ａ〜４ｆの何れか）の構成を示す図面６０の代わりに、移動端末８が備えるカメラ３２によって検出したメンテナンス対象機器（４ａ〜４ｆの何れか）の画像６２を表示部２４に表示し、該画像中においてメンテナンスが必要な箇所のハイライト表示を行うよう構成してもよい。このように、メンテナンス対象機器（４ａ〜４ｆの何れか）の構成を示す図面６０中又は画像６２中においてメンテナンスが必要な箇所のハイライト表示を行うことにより、各メンテナンス対象機器４ａ〜４ｆにおけるメンテナンスが必要な箇所を、メンテナンス要員５に対し視覚的に明瞭に提示することができる。
【００６４】
また、幾つかの実施形態に係る移動端末８は、上述の異常診断結果を含むメンテナンス情報をメンテナンス情報提供装置１０から提供された場合に、図３に示すように、該異常診断結果に対応するメンテナンス対象機器（４ａ〜４ｆの何れか）における交換が必要な部品と該部品の在庫情報とをメンテナンス情報（ここでは異常対策情報）として表示部２４に表示し、該部品を発注可能に構成されている。図３に例示する移動端末８の表示部２４は、タッチパネルで構成され、メンテナンス対象機器（４ａ〜４ｆの何れか）における交換が必要な部品Ａ及び部品Ｂをハイライト表示（図３中ではハッチング表示にて代替的に表現）するとともに、表示部２４に表示されたボタン６６及びボタン６８を介して、部品Ａ及び部品Ｂを選択可能に構成されている。また、図３に示す表示部２４には、各部品の在庫情報として、部品Ａの在庫数Ｘ及び部品Ｂの在庫数Ｙが表示されている。ボタン６６及びボタン６８を介して部品Ａ又は部品Ｂが選択されると、部品Ａ又は部品Ｂを発注するための情報が無線通信部２２から送信される。これにより、各メンテナンス対象機器４ａ〜４ｆにおける交換が必要な部品を、メンテナンス要員５に対し視覚的に明瞭に提示し、発注作業を容易化することができる。
なお、図３に示す表示部２４は、交換が必要な部品の在庫数と該部品を発注するためのボタンの両方を表示しているが、これらのうち、交換が必要な部品の在庫数だけを表示してもよいし、交換が必要な部品を発注するためのボタンだけを表示してもよい。
【００６５】
また、幾つかの実施形態に係る移動端末８は、上述の異常診断結果を含むメンテナンス情報をメンテナンス情報提供装置１０から提供された場合に、該異常診断結果に対応するメンテナンス対象機器（４ａ〜４ｆの何れか）の運転パラメータの変更画面をメンテナンス情報（ここでは異常対策情報）として表示し、運転パラメータを変更可能に構成されている。一実施形態では、運転パラメータの変更画面は、メンテナンス要員５によって運転パラメータを任意に変更可能に構成されていてもよい。他の実施形態では、図４に示すように、該異常診断結果に対応するメンテナンス対象機器（４ａ〜４ｆの何れか）の運転パラメータの変更案をメンテナンス情報（ここでは異常対策情報）として表示し、該変更案を選択可能に構成されていてもよい。図４に例示する移動端末８の表示部２４は、タッチパネルで構成され、メンテナンス対象機器（４ａ〜４ｆの何れか）を構成するポンプの回転数（運転パラメータ）をω１からω２に変更する変更案を表示するとともに、表示部２４に表示されたボタン７０を介して該変更案を選択可能に構成されている。
このように、各メンテナンス対象機器４における運転パラメータの変更画面をメンテナンス要員５に視覚的に明瞭に提示することにより、運転パラメータの変更作業を容易化することができる。また、中央制御装置４２でパラメータを変更するのではなく、現場で運転パラメータを即時変更することが可能となるため、異常状態の継続による重大損傷を避けることができる。
【００６６】
また、幾つかの実施形態に係る移動端末８は、上述のカメラ３２によって検出された画像中に映る複数のメンテナンス対象機器４ａ〜４ｆのうち、上述した異常診断によって異常が有ると診断されたメンテナンス対象機器を、図５に示すようにハイライト表示する。具体的には、コンピューターで生成したデータを実写映像に重ね合わせるＡＲ（Ａｕｇｍｅｎｔｅｄ  Ｒｅａｌｉｔｙ）技術などを用いることが可能である。これにより、移動端末８を携帯するメンテナンス要員５は、プラント２内を巡回する際に、複数のメンテナンス対象機器４ａ〜４ｆのうちの何れの機器に異常があるかを把握することができるため、複数のメンテナンス対象機器４ａ〜４ｆのうち異常が有る機器に絞って、更に詳細な異常診断を実施することが可能となる。
【００６７】
以上図１〜図５を用いて説明したメンテナンス情報提供システム１によれば、プラント２内において移動端末８を携帯して移動するメンテナンス要員５は、メンテナンス対象機器４ａ〜４ｆの各々を識別する作業を要することなく、近づいたメンテナンス対象機器（４ａ〜４ｆの何れか）の個体識別情報に応じたメンテナンス情報を該移動端末８を介して把握することができる。
これにより、プラント２内に設けられた複数のメンテナンス対象機器４ａ〜４ｆの各々に関するメンテナンス情報を、メンテナンス対象機器４ａ〜４ｆの各々に近づいたメンテナンス要員５が容易に把握することができ、メンテナンスの利便性を向上することが可能となる。
なお、以上に示した実施形態では、提供されたメンテナンス情報を移動端末８の表示部２４に表示する構成例を示したが、移動端末８は、例えばアラームやバイブを介してメンテナンス要員５がメンテナンス情報を把握できるよう構成してもよい。
【符号の説明】
【００６８】
１  メンテナンス情報提供システム
２  プラント
４ａ〜４ｆ  メンテナンス対象機器
５  メンテナンス要員
６ａ〜６ｆ  ビーコン信号発信体
８  移動端末
１０  メンテナンス情報提供装置
１０  メンテナンス情報提供装置
２０  ビーコン信号受信部
２２  無線通信部
２４  表示部
２６  状態情報検出部
２８  制御部
３０  マイクロフォン
３２  カメラ
３４  振動センサ
４０ａ〜４０ｆ  分散制御装置
４２  中央制御装置
４４  ネットワーク
５０  メンテナンス情報管理サーバ
６０  図面
６２  画像
６６，６８，７０  ボタン
【図１】
2016001400.tif 000003
【図２】
2016001400.tif 000004
【図３】
2016001400.tif 000005
【図４】
2016001400.tif 000006
【図５】
2016001400.tif 000007